(57)【要約】      （修正有）【課題】運動を妨げる程度を小さくすることができる生体ガス検出装置を提供する。【解決手段】人の口唇２の一部または全部を覆い、口唇２から放出された生体ガスを含む試料を採取する試料採取部１０と、試料採取部１０で採取された生体ガスを検出する検出部と、検出部で検出された生体ガスの信号強度から生体ガスの量を計算する演算部と、演算部で計算された結果を出力する出力部と、を含む。【選択図】図５
2015130995.tif 000002
【特許請求の範囲】
【請求項１】
人の口唇の一部または全部を覆い、前記口唇から放出された生体ガスを含む試料を採取する試料採取部と、
前記試料採取部で採取された前記生体ガスを検出する検出部と、
前記検出部で検出された前記生体ガスの信号強度から前記生体ガスの量を計算する演算部と、
前記演算部で計算された結果を出力する出力部と、
を含む、生体ガス検出装置。
【請求項２】
請求項１において、
前記試料採取部は、
呼吸路を形成する筒状部と、
前記筒状部の一端に接続され、前記口唇の一部または全部を覆って前記口唇との間に空洞部を形成するカバー部と、
を有する、生体ガス検出装置。
【請求項３】
請求項２において、
前記筒状部は、前記口唇の上唇と下唇とによって挟持される、生体ガス検出装置。
【請求項４】
請求項２または３において、
前記カバー部は、中空構造を有し、
前記カバー部には、空気弁が設けられている、生体ガス装置。
【請求項５】
請求項２ないし４のいずれか１項において、
前記カバー部の一部は、前記口唇または皮膚に接している、生体ガス装置。
【請求項６】
請求項２ないし５のいずれか１項において、
前記試料採取部は、
前記カバー部を貫通し、前記空洞部と前記検出部をつなぐ流路を有する、生体ガス装置。
【請求項７】
請求項１ないし６のいずれか１項において、
前記試料採取部の材質は、シリコン樹脂、ポリエチレン樹脂、ポリプロピレン樹脂、ポリウレタン樹脂、ポリエステル樹脂、ポリスチレン樹脂、ポリエチレンテレフタレート樹脂、ポリテトラフルオロエチレン樹脂、ポリカーボネイト樹脂、ポリオレフィン樹脂、ポリ乳酸樹脂、またはこれらの複合体である、生体ガス検出装置。
【請求項８】
請求項１ないし７のいずれか１項において、
前記生体ガスは、アセトンである、生体ガス検出装置。
【発明の詳細な説明】
【技術分野】
【０００１】
本発明は、生体ガス検査装置に関する。
【背景技術】
【０００２】
過去、人類は飢饉などを経験しているため、余分なエネルギーは出来るだけ体内に蓄積するように遺伝的に組み込まれてきた。しかし、戦後物質的に豊かになり、日本人の摂取カロリーは１９７０年頃までは緩やかに増加傾向にあったが、それ以降は緩やかに減少傾向が続いている。それにもかかわらず、生活習慣病と言われる糖尿病や高脂血症などは増加傾向にある。その第一の原因は、動物性脂肪の摂取量が戦後増加したこと、第二の原因は、週休２日制度が定着し自動車の普及率が高くなってきたことで、日常の活動量が減少してきている（例：１日の平均歩行数が減少傾向）ことである。健康に関するアンケートを取ると、関心の高い項目に男女とも「脂肪」「体重」が上げられ、ダイエットへの関心が高かまっている。また、高齢化社会の到来とともに、国民医療費が年々増加しており、これ以上の国民医療費の増加は許容できない状況になっている。その対策の１つとして、特定健診・特定保健指導（通称メタボ健診）が、２００８年４月より始まった４０歳〜７４歳までの公的医療保険加入者全員を対象とした保健制度が始まった。以上のような背景で、脂肪燃焼量を測定するニーズは高まってきている。
【０００３】
現在、脂肪燃焼量を測定または算出する方法としては、（１）呼気ガス中Ｏ２とＣＯ２とから脂肪燃焼量に換算する呼気ガス分析法、（２）歩数や加速度計による活動量から消費カロリーを測定し、脂肪燃焼量を統計的なデータに基づいて算出する方法がある。呼気ガス分析法は、酸素消費量（ＶＯ２）と二酸化炭素産生量（ＶＣＯ２）とを測定し、その値からエネルギー消費量を算出することができ、比較的よく利用されている。この算出にはＷｅｉｒの公式が用いられている。それによると、安静時エネルギー消費量（ＲＥＥ：Ｒｅｓｔｉｎｇ  Ｅｎｅｒｇｙ  Ｅｘｐｅｎｄｉｔｕｒｅ）は、
ＲＥＥ（ｋｃａｌ／ｄａｙ）＝３．９４１×ＶＯ２（Ｌ／ｄａｙ）＋１．１０６×ＶＣＯ２（Ｌ／ｄａｙ）−２．１７×ＵＮ      式（１）
となる。ＵＮはたんぱく質の代謝による尿中窒素量を示す。
【０００４】
実際には、尿中尿素窒素排泄量を用いずに、たんぱく質の占める割合を１２．５％と仮定したＷｅｉｒの変式は、
ＲＥＥ（ｋｃａｌ／ｄａｙ）＝３．９４×ＶＯ２（Ｌ／ｄａｙ）＋１．１１×ＶＣＯ２（Ｌ／ｄａｙ）      式（２）
となる。または、比較的短時間の測定の簡易式として、
ＲＥＥ（ｋｃａｌ／ｄａｙ）＝［３．９４×ＶＯ２（ｍｌ／ｍｉｎ）＋１．１１×ＶＣＯ２（ｍｌ／ｍｉｎ）］×１．４４      式（３）
を用いることも多い。
【０００５】
炭水化物、脂質、たんぱく質は、それぞれ代謝される際に消費される酸素の量と二酸化炭素の産生量の比が異なっている。これは呼吸商（ｒｅｓｐｉｒａｔｏｒｙ  ｑｕｏｔｉｅｎｔ：ＲＱ）と呼ばれるものである。例えばブドウ糖が代謝される場合には、
Ｃ６Ｈ１２Ｏ６＋６Ｏ２→６ＣＯ２＋６Ｈ２Ｏ＋エネルギー      式（４）
であり、呼吸商は１．０となる。同様に、たんぱく質では０．８１、脂質では０．７１となる。したがって、呼気分析法（間接熱量測定）では、呼吸商ＲＱや炭水化物と脂質の消費エネルギーも算出することができる。
【０００６】
上記のように代謝物質から脂肪の消費量を測定する方法では、例えば、呼気ガスを採取する装置を用いる。このように呼気ガスを採取する装置として、例えば特許文献１では、呼気ガス中のアセトン量を測定し、その量から脂肪燃焼に適した運動強度を算出し指示する装置が記載されている。
【先行技術文献】
【特許文献】
【０００７】
【特許文献１】特開２０１０−２６８８６４号公報
【発明の概要】
【発明が解決しようとする課題】
【０００８】
しかしながら、特許文献１のように、呼気ガス中のアセトン量を測定する装置では、呼気ガスを採取するために、口や鼻を覆うマスクを装着する必要があり、当該マスクの装着が運動の妨げになることがある。
【０００９】
本発明のいくつかの態様に係る目的の１つは、運動を妨げる程度を小さくすることができる生体ガス検出装置を提供することにある。
【課題を解決するための手段】
【００１０】
本発明に係る生体ガス検出装置は、
人の口唇の一部または全部を覆い、前記口唇から放出された生体ガスを含む試料を採取する試料採取部と、
前記試料採取部で採取された前記生体ガスを検出する検出部と、
前記検出部で検出された前記生体ガスの信号強度から前記生体ガスの量を計算する演算部と、
前記演算部で計算された結果を出力する出力部と、
を含む。
【００１１】
このような生体ガス検出装置では、例えば呼気ガス中のアセトンを採取する装置のように、呼気ガスを採取するために口や鼻を覆うマスクを必要としない。そのため、このような生体ガス検出装置では、運動を妨げる程度を小さくすることができる。さらに、このような生体ガス検出装置では、汗腺や皮脂腺のない口唇から放出される生体ガスを採取するため、汗腺や皮脂腺による影響を受けにくく、精度の高い測定（検出）が可能となる。
【００１２】
本発明に係る生体ガス検出装置において、
前記試料採取部は、
呼吸路を形成する筒状部と、
前記筒状部の一端に接続され、前記口唇の一部または全部を覆って前記口唇との間に空洞部を形成するカバー部と、
を有してもよい。
【００１３】
このような生体ガス検出装置では、使用者は、生体ガス検出装置を装着していても、通常の呼吸を行うことができ、かつ精度よく生体ガスの量（濃度）を測定することができる。
【００１４】
本発明に係る生体ガス検出装置において、
前記筒状部は、前記口唇の上唇と下唇とによって挟持されてもよい。
【００１５】
このような生体ガス検出装置では、例えばベルトなどで固定されることなく装着されることができる。
【００１６】
本発明に係る生体ガス検出装置において、
前記カバー部は、中空構造を有し、
前記カバー部には、空気弁が設けられていてもよい。
【００１７】
このような生体ガス検出装置では、空気弁から空気を封入することにより、カバー部に囲まれた空間の圧力を調節することができる。これにより、このような生体ガス検出装置は、カバー部と口唇との密着性やカバー部と皮膚との密着性を向上させることができる。
【００１８】
本発明に係る生体ガス検出装置において、
前記カバー部の一部は、前記口唇または皮膚に接していてもよい。
【００１９】
このような生体ガス検出装置では、運動を妨げる程度を小さくすることができる。
【００２０】
本発明に係る生体ガス検出装置において、
前記試料採取部は、
前記カバー部を貫通し、前記空洞部と前記検出部をつなぐ流路を有してもよい。
【００２１】
このような生体ガス検出装置では、流路を介して、生体ガスを検出部に送ることができる。
【００２２】
本発明に係る生体ガス検出装置において、
前記試料採取部の材質は、シリコン樹脂、ポリエチレン樹脂、ポリプロピレン樹脂、ポリウレタン樹脂、ポリエステル樹脂、ポリスチレン樹脂、ポリエチレンテレフタレート樹脂、ポリテトラフルオロエチレン樹脂、ポリカーボネイト樹脂、ポリオレフィン樹脂、ポリ乳酸樹脂、またはこれらの複合体であってもよい。
【００２３】
このような生体ガス検出装置は、柔軟性の高い材料で構成されているため、口唇周辺の筋肉で容易に開くことができ、使用者は、通常の呼吸が可能である。
【００２４】
本発明に係る生体ガス検出装置において、
前記生体ガスは、アセトンであってもよい。
【００２５】
このような生体ガス検出装置では、肝臓での脂肪燃焼による代謝物質であるアセトンを検出することで、精度の高い脂肪燃焼量の測定を行うことができる。
【図面の簡単な説明】
【００２６】
【図１】本実施形態に係る生体ガス検出装置を模式的に示す機能ブロック図。
【図２】本実施形態に係る生体ガス検出装置の試料採取部を模式的に示す図。
【図３】本実施形態に係る生体ガス検出装置の試料採取部を模式的に示す図。
【図４】本実施形態に係る生体ガス検出装置の試料採取部を模式的に示す図。
【図５】本実施形態に係る生体ガス検出装置の試料採取部を模式的に示す断面図。
【図６】ＳＥＲＳセンサーを説明するための図。
【図７】ＳＥＲＳセンサーの製造工程を模式的に示す断面図。
【図８】半導体センサーを説明するための図。
【図９】半導体センサーの等価回路図。
【図１０】半導体センサーの初期のセンサー抵抗Ｒｏとガス分析時のセンサー抵抗Ｒｓとの（Ｒｓ／Ｒｏ）と、ガス濃度と、の相関を示すグラフ。
【図１１】ＱＣＭセンサーを説明するための図。
【図１２】ＱＣＭセンサーを説明するための図。
【図１３】ＱＣＭセンサーの回路例とその周波数応答を示す図。
【図１４】ＱＣＭセンサーにおける、ガス３種類に対する周波数変化量を示すグラフ。
【図１５】本実施形態に係る生体ガス検出装置の具体的な構成を説明するための図。
【図１６】通常の皮膚部位および口唇部位の皮膚構造を説明するための図。
【図１７】運動をした時の脂肪燃焼のメカニズムを説明するための図。
【図１８】運動強度と呼吸商との関係を示す図。
【図１９】身体活動レベルＡＦとその状態とを示す図。
【図２０】エネルギー収支を計算するためにタイムスケジュールと行動、身体活動レベル、エネルギー消費量を示す図。
【図２１】自転車エルゴメーターで運動した身体活動のメッツ（ＭＥＴｓ）を示す図。
【図２２】三大栄養素の摂取カロリーを示す図。
【図２３】基礎代謝＋活動代謝、運動代謝、および食事供給の栄養素別カロリーを示す図。
【図２４】行動別呼吸率を示す図。
【図２５】人の部位におけるエクリン腺と皮脂腺の「多い・少ない・無い」の関係を示す図。
【図２６】人の肌（頬）と口唇との比較を示す図。
【図２７】運動による呼気アセトン濃度を測定した場合のモデル例を示す図。
【図２８】運動による呼気アセトン濃度を測定した場合の他のモデル例を示す図。
【図２９】推奨運動条件の例を示す図。
【図３０】個人情報を登録、テスト運動の実施を経て推奨運動条件を提示する動作フ    ローチャート。
【図３１】年齢別、目標心拍数ＨＲ別の推奨運動条件を示す図。
【発明を実施するための形態】
【００２７】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２８】
１．  生体ガス検出装置
１．１．  構成
まず、本実施形態に係る生体ガス検出装置について、図面を参照しながら説明する。図１は、本実施形態に係る生体ガス検出装置１００を模式的に示す機能ブロック図である。
【００２９】
生体ガス検出装置１００は、図１に示すように、人の口唇（唇）の一部または全部を覆い、口唇から放出された生体ガスを含む試料を採取する試料採取部１０と、試料採取部１０で採取された生体ガスを検出する検出部２０と、検出部２０で検出された生体ガスの信号強度から生体ガスの量を計算する演算部３０と、演算部３０で計算された結果を出力する出力部４０と、を含む。以下、各部について具体的に説明する。
【００３０】
１．２．  試料採取部
図２〜図５は、試料採取部１０を模式的に示す図である。なお、図２は、口唇を閉じた状態の図であり、図３〜図５は、口唇を開いた状態の図である。また、図２および図３では、試料採取部１０を簡略化して図示している。また、図５は、図４に示すＶ−Ｖ線断面図である。
【００３１】
試料採取部１０は、図２〜図５に示すように、筒状部１２と、カバー部１４と、流路１６と、を有している。
【００３２】
筒状部１２は、図４および図５に示すように、口唇２の上唇２ａと下唇２ｂとによって挟持される。図４に示す例では、筒状部１２の貫通孔１３の形状は、円である。筒状部１２は、呼吸路を形成するための部材である。具体的には、貫通孔１３は、試料採取部１０を使用する人が呼吸をするための経路となる。筒状部１２は、例えば、外部と口内３とを連通している。ここで、口内とは、口唇と歯との間の領域を含む。図５に示す例では、筒状部１２の一端１２ａは、口内３の外側に設けられ、筒状部１２の他端１２ｂは、口内３に設けられている。
【００３３】
カバー部１４は、筒状部１２の一端１２ａに接続されている。図５に示す例では、カバー部１４の一端１４ａは、口唇２に接しており、カバー部１４の他端１４ｂは、筒状部１２の一端１２ａに接続されている。図示はしないが、カバー部１４の一端１４ａは、皮膚１に接していてもよい。カバー部１４は、筒状部１２と一体的に設けられていてもよい。なお、皮膚とは、表皮、真皮、および皮下組織を含む部分であって、口唇以外の部分のことをいう（具体的には後述する図１６参照）。
【００３４】
カバー部１４は、口唇２の一部または全部を覆って口唇２との間に空洞部４を形成する。言い換えると、カバー部１４は、口唇２の外側を、空洞部４を介して包み込むように設けられる。口唇２は、毛細血管や小静脈が特に発達して赤く見える赤唇縁を有している。赤唇縁は、生体ガスがよく放出される部分である。カバー部１４は、このような赤唇縁を覆っている。
【００３５】
カバー部１４、筒状部１２、および口唇２は、図５に示すように、空洞部４を規定している。図５に示す例では、カバー部１４は、空洞部４を介して、口唇２と対向する部分を有している。空洞部４は、図４に示すように筒状部１２の軸（貫通孔１３の軸）方向から見て、貫通孔１３を囲んで設けられている。空洞部４は、口唇２から放出された生体ガスの流路となる。
【００３６】
カバー部１４は、中空構造を有している。図示の例では、カバー部１４は、空間６を取り囲んで設けられている。カバー部１４には、空気弁１５が設けられている。試料採取部１０では、空気弁１５を介して、空間６に空気を入れたり、空間６から空気を抜いたりすることができる。
【００３７】
流路１６は、カバー部１４を貫通し、空洞部４と連通している。流路１６は、後述する吸引口１０２ａ（図１５参照）に接続されている。すなわち、流路１６は、空洞部４と検出部２０とをつないでいる。流路１６は、空洞部４内の生体ガスを排出することができる。
【００３８】
試料採取部１０の材質は、例えば、シリコン樹脂、ポリエチレン樹脂、ポリプロピレン樹脂、ポリウレタン樹脂、ポリエステル樹脂、ポリスチレン樹脂、ポリエチレンテレフタレート樹脂、ポリテトラフルオロエチレン樹脂、ポリカーボネイト樹脂、ポリオレフィン樹脂、ポリ乳酸樹脂、またはこれらの複合体である。
【００３９】
口唇２から放出される生体ガスは、例えば、アセトン、エチルアルコール、イソプレン、アセトアルデヒド、アンモニアである。
【００４０】
１．３．  検出部
１．３．１．  表面増強ラマン分光（ＳＥＲＳ）センサー
図１に示す検出部２０がＳＥＲＳセンサーを含む例について、図面を参照しながら説明する。図６は、ＳＥＲＳセンサー１２０を説明するための図であり、（ａ）はラマン分光の説明図、（ｂ）は金属ナノ粒子に光を照射した時に形成される増強電場の説明図、（ｃ）は金属ナノ構造における表面増強ラマン散乱の説明図である。
【００４１】
まず、図６（ａ）を参照してラマン分光について説明する。標的分子（被検出物質分子）に入射光（波長ν）が照射されると、多くはレイリー散乱光として波長が変化せず散乱される。一部に標的分子の分子振動の情報を含んだラマン散乱光（波長ν− ν´）が散乱される。そのラマン散乱光から、標的分子（ここではアセトアルデヒドを例）の指紋スペクトルが得られる。この指紋スペクトルによって、検出した物質がアセトアルデヒドと特定することが可能である。しかしながら、ラマン散乱光は非常に微弱であり、微量にしか存在しない物質を検出することは困難であった。
【００４２】
そこで、図６（ｂ）を参照して、入射する光の波長よりも小さな金属ナノ粒子に光を照射した時に形成される増強電場について説明する。金属ナノ粒子に対して光を照射する場合には、金属ナノ表面に存在する自由電子が、入射光の電場によって作用を受け共鳴することになり、金属ナノ粒子近傍には自由電子による電気双極子が揃った状態になった結果、入射光の電場よりも強い増強電場が形成される。この現象は、光の波長よりも小さな金属粒子に特有の現象であり、局在表面プラズモン共鳴と言われている現象である。
【００４３】
次いで、金属ナノ構造における表面増強ラマン散乱について図６（ｃ）を参照して説明する。ＳＥＲＳセンサー１２０は、この金属ナノ構造１２７を有する。
【００４４】
金属ナノ構造１２７は、基板１２４上にマトリクス状に配置された柱状の構造体１２５の先端部に金属ナノ粒子１２６が形成されたものである。
【００４５】
ラマン散乱光が増強電場中で発生すると、増強電場の影響によってラマン散乱光が増強されるという現象が、表面増強ラマン散乱（ＳＥＲＳ）である。図６（ｃ）のように、基板１２４上に金属ナノ構造１２７を形成し、その間隙に増強電場を形成するように配置しておく。ここで標的分子が入り込むと、そのラマン散乱光は増強電場で増強されて強いラマン信号が得られることになる。結果として、微量に存在する標的分子であっても、ラマン分光ができることになる。このことによって、微量の標的分子（検出対象物質）を高感度に検出することができる。
【００４６】
次に、ＳＥＲＳセンサー１２０の製造方法について、図面を参照しながら説明する。図７は、ＳＥＲＳセンサー１２０の製造工程を模式的に示す断面図である。
【００４７】
図７（ａ）に示すように、支持基板１２１を準備する。支持基板１２１は、例えば、石英基板である。なお、支持基板１２１は、石英基板に限定されるものではない。
【００４８】
図７（ｂ）に示すように、支持基板１２１上に金属層１２２を形成する。金属層１２２は、例えば、真空蒸着法またはスパッタ法によって形成される。図示の例では、金属層１２２は、平坦な膜であるが、周期的な凹凸のある金属格子であってもよい。金属層１２２の厚さは、例えば、１０ｎｍ以上１００ｎｍ以下である。金属層１２２の材質は、例えば、金（Ａｕ）、銀（Ａｇ）、銅（Ｃｕ）、アルミニウム（Ａｌ）、白金（Ｐｔ）、ニッケル（Ｎｉ）、パラジウム（Ｐｄ）、タングステン（Ｗ）、ロジウム（Ｒｈ）、ルテニウム（Ｒｕ）である。金属層１２２は、単一波長の励起光が照射されると伝播型プラズモンを励起することができる。
【００４９】
図７（ｃ）に示すように、金属層１２２上に、誘電体層１２３を形成する。誘電体層１２３は、例えば、スパッタ、ＣＶＤ（Ｃｈｅｍｉｃａｌ  Ｖａｐｏｒ  Ｄｅｐｏｓｉｔｉｏｎ）法によって形成される。誘電体層１２３の厚さは、例えば、１０ｎｍ以上２００ｎｍ以下である。誘電体層１２３の材質は、例えば、ＳｉＯ２、Ａｌ２Ｏ３、Ｔｉ２Ｏ３、Ｔａ２Ｏ５である。
【００５０】
図７（ｄ）に示すように、誘電体層１２３上にレジスト層Ｒを形成する。レジスト層Ｒは、例えば、スピンコートなどの装置で塗布して乾燥させることによって形成される。次に、レジスト層Ｒをレーザー干渉露光する。レーザー干渉露光の光源としては、例えば、連続発振のＹＶＯ４レーザー（波長２６６ｎｍ、最大出力２００ｍＷ）を用いる。レジスト層Ｒは、例えば、ポジ型のレンジストからなる。レジスト層Ｒの厚さは、例えば、１μｍ程度である。レジスト層Ｒの露光パターンは、一方のパターンを格子状とし、他方のパターンも格子状として、両者の交差する角度によって色々なパターンが形成することができ、レーザーの波長の半分の大きさまで小さくすることが可能である。両者の干渉縞の潜像をレジスト層Ｒ中に形成し、現像することによって、図７（ｅ）に示すように、所望のパターンを形成する。
【００５１】
図７（ｆ）に示すように、レジスト層Ｒをマスクとして、誘電体層１２３をエッチングし、凹部を形成する。これにより構造体１２５および基板１２４を形成することができる。次に、図７（ｇ）に示すように、レジスト層Ｒを、例えば、公知の方法により、除去する。なお、便宜上、図６では、基板１２４を簡略化して図示している。
【００５２】
図７（ｈ）に示すように、構造体１２５に、金属ナノ粒子１２６を形成する。金属ナノ粒子１２６を形成する方法としては、まず、スパッタ装置や蒸着装置などで、金属膜を形成する。最初は全体に薄く金属膜が形成されるが、段々と構造体１２５付近に多く金属が付着するようになり、結果として、図７（ｈ）に示すようになる。隣り合う金属ナノ粒子１２６のギャップは、金属膜の厚さによって制御することができる。
【００５３】
以上の工程により、ＳＥＲＳセンサー１２０を製造することができる。
【００５４】
１．３．２．  半導体センサー
図１に示す検出部２０が図８（ａ）（ｂ）に示す半導体センサー２２０を含む例について、図面を参照しながら説明する。半導体センサー２２０の基板２２１の表面２２１ａには、図８（ａ）に示すように、感ガス材料板２２２ａ〜２２２ｄと、各感ガス材料板２２２ａ〜２２２ｄに接続された２つの電極２２３ａ，２２３ｂと、を有する。基板２２１の裏面２２１ｂには、図８（ｂ）に示すように、ヒーター２２４と、それに接続された電極２２５ａ，２２５ｂと、を有する。感ガス材料板２２２ａ〜２２２ｄには、酸化スズＳｎＯ２、アンチモン添加酸化スズＳｂ：ＳｎＯ２、酸化亜鉛ＺｎＯ、酸化タングステンＷＯ３、インジウムスズ酸化物、酸化チタンＴｉＯ２、ニオブ添加酸化チタンＮｂ：ＴｉＯ２などがあり、これらの複合材や他の添加剤を含めることも可能である。
【００５５】
図９は、半導体センサー２２０の等価回路図である。ヒーター２２４により例えば３００℃〜４５０℃程度に加熱された感ガス材料板２２２ａ〜 ２２２ｄに還元性ガスが曝露されると、感ガス材料板２２２ａ〜２２２ｄの表面に吸着されていた酸素が減少してポテンシャル障壁が下がり、電子が動きやすくなる。それにより、感ガス材料板２２２ａ〜２２２ｄのセンサー抵抗ＲＬ１〜ＲＬ４が減少する。図１０は、ある一つの感ガス材料板を用いた半導体センサーの初期のセンサー抵抗Ｒｏとガス分析時のセンサー抵抗Ｒｓとの（Ｒｓ／Ｒｏ）と、ガス濃度と、の相関を示している。ガス種に応じて、ガス濃度に依存するＲｓ／Ｒｏの変化率が異なる。図１０の特性は、感ガス材料板によって異なる。したがって、図８（ａ）に示す複数の感ガス材料板２２２ａ〜２２２ｄにセンサー抵抗比（Ｒｓ／Ｒｏ）に応じた出力電圧ＶＯＵＴ１〜ＶＯＵＴ４（図９参照）を分析することで、線形判別法や主成分分析法などでガス種とガス濃度とを分析することができる。半導体センサー２２０は、小型で耐久性に優れていることと同時に、量産性が高く比較的安価に製造することができる。また、半導体センサー２２０の駆動回路も図８（ｂ）に示すように単純である。
【００５６】
１．３．３．  水晶振動子マイクロバランス（ＱＣＭ）センサー
図１に示す検出部２０がＱＣＭセンサーを含む例について、図面を参照しながら説明する。ＱＣＭセンサー３２０は、図１１（ａ）（ｂ）または図１２（ａ）（ｂ）に示すように、水晶振動子３２１の両面に電極３２２ａ，３２２ｂを配置し、電極３２２ａ，３２２ｂに接続されるリード線３２３ａ，３２３ｂを基板３２４に固定している。図１１（ｂ）ではリード線３２３ａ，３２３ｂは基板３２４と（基板３２４のリード線３２３ａ，３２３ｂが接続される面と）平行に配置される一方で、図１２（ｂ）ではリード線３２３ａ，３２３ｂは基板３２４と垂直に配置される。図１２（ａ）（ｂ）の方が空気の流れはよく、水晶振動子３２１の両面に皮膚ガスが接触しやすい。
【００５７】
水晶振動子３２１の周波数は、電極３２２ａ，３２２ｂ上の物質の質量に応じて変化し、周波数の変化量と付着物質の質量との関係は、Ｓａｕｅｒｂｒｅｙ式と呼ばれる。付着物質量が減少すると周波数が増加する。この現象を利用し、水晶振動子の周波数変化を検出することで、その電極上での物質の質量変化を計測する方法を水晶振動子マイクロバランス法（ＱＣＭ法）という。Ｓａｕｅｒｂｒｅｙ式は、基本周波数をＦ０、周波数の変化量をΔＦ、質量変化量をΔｍ、水晶の密度をρ、水晶のせん断応力をμ、電極の面積をＡとすると、
ΔＦ＝−２Ｆ０２・Δｍ／［Ａ・（ρμ）（１／２）］      式（５）
と表せる。電極３２２ａ，３２２ｂの表面にて、付着物質量が増加すると周波数は減少し、付着物質量が減少すると周波数は増加する。このように、分析物質が吸着すると振動数が変化するので、周波数変化ΔＦを検出することで、分析物質がどれ位吸着したかを知ることができる。
【００５８】
図１３（ａ）（ｂ）に、ＱＣＭセンサーの回路例とその周波数応答を示す。Ｃ−ＭＯＳのインバータ、抵抗、コンデンサーから構成されている一般的な回路であるが、この回路に限定されるものではない。生体ガスの特定成分を吸着しやすくするために、ＱＣＭセンサーの電極表面にポリマーを薄く形成することがある。ポリマーに対する分析物質の応答曲線として、図１３（ｂ）の周波数応答のグラフのように応答するポリマーを選択し、周波数変化量を求めて、予め検量線を求めておくことで、周波数変化量から所望の成分の濃度を知ることができる。なお、周波数応答のグラフは、図示するようにきれいに応答するものだけではないが、予めポリマーを選択しておくと、目的の成分ガスに対してよい応答が得られる。図１４は、ＱＣＭセンサー（水晶ＡＴ振動子）にポリマーをスピンコートで塗布形成し、ガス３種類に対する周波数変化量の例を示したものである。
【００５９】
１．４．  演算部
図１に示す演算部３０は、検出部２０で検出された生体ガスの信号強度から生体ガスの量を計算する。具体的には、検出部２０としてＳＥＲＳセンサー１２０を用いる場合、演算部３０は、検出部２０で検出された生体ガス（例えばアセトン）のラマンスペクトルのピーク強度と、予め作成された検量線と、に基づいて、アセトンの濃度を計算する。演算部３０は、例えば、記憶部３２に記憶されているプログラムに従って、生体ガスの量を計算する。演算部３０は、アセトンの濃度から脂肪燃焼に適した運動強度を算出してもよい。演算部３０は、アセトンの濃度から個人毎の適切な運動条件を算出してもよい。演算部３０は、各種プロセッサ（ＣＰＵ、ＤＳＰ等）、ＡＳＩＣ（ゲートアレイ等）などのハードウェアや、プログラムにより実現できる。
【００６０】
記憶部３２は、各種のアプリケーションプログラムやデータを記憶する。記憶部３２は、演算部３０の処理により生成されるデータのうち、長期的な保存が必要なデータを記憶してもよい。記憶部３２は、生体ガスの量を計算するための、検量線に関するデータが記憶されていてもよい。記憶部３２は、例えば、光ディスク（ＣＤ、ＤＶＤ）、光磁気ディスク（ＭＯ）、磁気ディスク、ハードディスク、磁気テープ、メモリー（ＲＯＭ、フラッシュメモリーなど）により実現される。
【００６１】
１．５．  出力部
図１に示す出力部４０は、演算部３０で計算した結果を出力する。具体的には、出力部４０は、演算部３０で計算されたアセトンの濃度を出力する。出力部４０は、演算部３０で計算されたアセトンの濃度を表示する表示部を含んで構成されていてもよい。表示部は、演算部３０で計算されたアセトンの濃度を文字やグラフその他の情報として表示する。表示部は、演算部３０で算出された脂肪燃焼に適した運動強度を算出してもよい。表示部は、演算部３０で算出された、個人毎の適切な運動条件を算出してもよい。表示部は、例えば、ＬＣＤ（Ｌｉｑｕｉｄ  Ｃｒｙｓｔａｌ  Ｄｉｓｐｌａｙ）、ＣＲＴ（Ｃａｔｈｏｄｅ  Ｒａｙ  Ｔｕｂｅ）、タッチパネル型ディスプレイなどである。なお、出力部４０は、音声によって、演算部３０で計算されたアセトンの濃度を出力してもよい。
【００６２】
１．６．  具体的な構成
次に、生体ガス検出装置１００の具体的な構成について、図面を参照しながら説明する。図１５は、生体ガス検出装置１００の具体的な構成を説明するための図である。なお、図１５では、試料採取部１０および出力部４０の図示を省略している。以下では、検出部２０がＳＥＲＳセンサー１２０を含む例について説明する。
【００６３】
生体ガス検出装置１００の検出部２０は、図１５に示すように、ＳＥＲＳセンサー１２０や流路１０２，１０３などの消耗品を格納および交換できるように開閉可能なカバー部１０１、吸引流路１０２、排出流路１０３、光源１０４、レンズ１０５、ハーフミラー１０６、フィルター１０７、分光器１０８、受光素子１０９、およびＳＥＲＳセンサー１２０を有している。さらに、生体ガス検出装置１００は、検出された信号の処理や、検出部２０の制御をする信号処理部１３０、電力を供給する電力供給部（電池）１４０、外部とのインターフェイスを取るための接続部１５０と、検出部２０、信号処理部１３０、および電力供給部１４０を収容する筐体１６０と、を含む。
【００６４】
排出流路１０３にある吸引手段１０３ａを作動させると、吸引流路１０２、ＳＥＲＳセンサー１２０内の流路、および排出流路１０３内が負圧になり吸引口１０２ａから検出すべき標的物質を含んだ気体試料（生体ガス）が吸引される。吸引口１０２ａは、試料採取部１０の流路１６に接続されている（図４および図５参照）。吸引流路１０２には除塵フィルター１０２ｂがあり、比較的大きな粉塵などが除去される。気体試料は吸引流路１０２を通り、ＳＥＲＳセンサー１２０内の流路を経由して排出流路１０３から排出される。その際に、標的物質がＳＥＲＳセンサー１２０表面付近を通過しＳＲＥＳセンサーに吸着および散乱されて検出されることになる。吸引流路１０２および排出流路１０３は、ＳＥＲＳセンサー１２０に外光が入らないように、さらに気体試料に対して流路抵抗が小さくなるように設計される。測定に先立って、光源１０４をＯＮして出力される波長が安定してから、吸引手段を動作させ気体試料を吸引してＳＥＲＳセンサー１２０へ誘導する。
【００６５】
ＳＥＲＳセンサー１２０に対して、単一波長で直線偏光の光源（レーザー光源）１０４からの光が照射され、ＳＥＲＳセンサー１２０からはＳＥＲＳ（表面増強ラマン散乱）光が放射され、レンズ１０５で集光されてハーフミラー１０６によって受光側へ入る。この光には、光源１０４からの入射波長と同じ波長のレイリー散乱光とラマン散乱光（ＳＥＲＳ光）などが含まれているので、光学フィルター１０７によってレイリー散乱光を除去して、分光器１０８へ入る。分光器１０８と受光素子１０９とによって、標的物質特有の指紋スペクトルが得られ、予め保持するデータと照合することで、標的物質と特定することができる。また、光学系としては、外部の光を検出系にいれないように、共焦点を持つ光学系が効果的である。
【００６６】
１回標的物質の検出を終了すると、（１）標的物質が自然に拡散し排出される、（２）積極的に排出を促す、（３）次の検出に備えて使用済みのＳＥＲＳセンサー１２０などを交換する、という３つ方法がある。以下では、（３）のＳＥＲＳセンサー１２０を交換する方法について説明する。
【００６７】
ＳＥＲＳセンサー１２０交換のために、カバー部１０１がヒンジ部１１０を中心に開き、ＳＥＲＳセンサー１２０と吸引流路１０２、除塵フィルター１０２ｂなどが一体となった消耗品を取り外す。そこへ新しい消耗品の吸引口１０２ａの封止部を解除してから、ＳＥＲＳセンサー１２０の位置決め部材に沿ってセットすると、検出部２０が作動して、検出可能な状態と判断される。
【００６８】
信号処理部１３０は、検出された信号の処理や、検出部２０の制御を行う。信号処理部１３０は、例えば、図１に示す演算部３０を含んで構成されている。信号処理部１３０は、例えば、図１に示す出力部４０と電気的に接続されている。
【００６９】
電力供給部１４０には、１次電池または２次電池が使用されることができる。１次電池の場合には筐体１６０の下部に電池交換用の開口部があり、例えば、表示部に電池切れが表示されたら、電池を交換することができる。２次電池の場合には表示部に電池切れが表示されたら、筐体１６０の下部の接続部１５０に、充電器を接続することで２次電池が充電され、充電終了が表示されたら、充電器をはずして再度使用することができる。消費電力を抑えるためには、気体試料吸引手段は測定のサンプリングする時にのみ動作させることが効果的である。
【００７０】
１．７．  生体ガス検出装置の特徴
生体ガス検出装置１００は、例えば、以下の特徴を有する。
【００７１】
生体ガス検出装置１００では、人の口唇２の一部または全部を覆い、口唇２から放出された生体ガスを含む試料を採取する試料採取部１０を含む。そのため、生体ガス検出装置１００は、例えば呼気ガス中のアセトンを採取する装置のように、呼気ガスを採取するために口や鼻を覆うマスクを必要としない。そのため、生体ガス検出装置１００では、運動を妨げる程度を小さくすることができる。
【００７２】
さらに、生体ガス検出装置１００では、汗腺や皮脂腺のない口唇２から放出される生体ガスを採取するため、汗腺や皮脂腺による影響を受けにくく、精度の高い測定（検出）が可能となる。
【００７３】
生体ガス検出装置１００では、試料採取部１０は、呼吸路を形成する筒状部１２と、筒状部１２の一端１２ａに接続され、口唇２の一部または全部を覆って口唇２との間に空洞部４を形成するカバー部１４と、を有する。そのため、使用者は、生体ガス検出装置１００を装着していても、通常の呼吸を行うことができ、かつ精度よく生体ガスの量（濃度）を測定することができる。
【００７４】
生体ガス検出装置１００では、筒状部１２は、口唇２の上唇２ａと下唇２ｂとによって挟持される。そのため、生体ガス検出装置１００は、例えばベルトなどで固定されることなく装着されることができる。
【００７５】
生体ガス検出装置１００では、カバー部１４は、中空構造を有し、カバー部１４には、空気弁１５が設けられている。そのため、生体ガス検出装置１００は、空気弁１５から空気を封入することにより、カバー部１４に囲まれた空間６の圧力を調節することができる。これにより、生体ガス検出装置１００は、カバー部１４と口唇２との密着性やカバー部１４と皮膚１との密着性を向上させることができる。
【００７６】
生体ガス検出装置１００では、試料採取部１０は、カバー部１４を貫通し、空洞部４と検出部２０をつなぐ流路１６を有する。そのため、生体ガス検出装置１００では、流路１６を介して、生体ガスを検出部２０に送ることができる。
【００７７】
生体ガス検出装置１００では、試料採取部１０の材質は、シリコン樹脂、ポリエチレン樹脂、ポリプロピレン樹脂、ポリウレタン樹脂、ポリエステル樹脂、ポリスチレン樹脂、ポリエチレンテレフタレート樹脂、ポリテトラフルオロエチレン樹脂、ポリカーボネイト樹脂、ポリオレフィン樹脂、ポリ乳酸樹脂、またはこれらの複合体である。生体ガス検出装置１００は、このように柔軟性の高い材料で構成されているため、口唇２周辺の筋肉で容易に開くことができ、使用者は、通常の呼吸が可能である。これにより、長時間、生体ガスを採取し、検出することができる。
【００７８】
生体ガス検出装置１００では、生体ガスは、アセトンである。そのため、生体ガス検出装置１００では、肝臓での脂肪燃焼による代謝物質であるアセトンを検出することで、精度の高い脂肪燃焼量の測定を行うことができる。心拍数や脈拍数から脂肪燃焼に適した運動条件は一般的に１００〜１４０位と言われているが、年齢や男女の統計的な平均値であり、個人毎の差異が考慮されないため、本当にその人に適した運動条件となっているかは不明であった。また、運動習慣のない人が、比較的長期間の運動を継続することで、細胞中のミトコンドリアが活性化されたり、あるいはミトコンドリア数が増加したりするなど、脂肪燃焼し易い体質へ変化していくことが分かっており、生体ガス検出装置１００は、このような変化にも対応することができる。
【００７９】
さらに、生体ガス検出装置１００では、少なくとも運動前と運動後のアセトンを検出し、その濃度変化から行った運動がその人に適した運動条件であったかが分かり、個人毎の適切な運動条件を指示することができる。その結果として、運動の効果が向上し、さらに運動に対するモチベーションがアップするため、運動が継続的に行われることで、健康維持に効果が期待できる。
【００８０】
２．  通常の皮膚部位および口唇部位の皮膚構造
次に、通常の皮膚部位および口唇部位の皮膚構造について、図面を参照しながら説明する。図１６（ａ）は通常の皮膚部位の皮膚構造を説明するための図であり、図１６（ｂ）は口唇部位の皮膚構造を説明するための図である。
【００８１】
通常部位の皮膚は、図１６（ａ）に示すように、外表面から表皮、真皮、皮下組織によって構成されている。表皮には乾燥、紫外線や外からの刺激から体を守るための丈夫な角層があり、その表面には皮脂腺から分泌された皮脂層で覆われている。角層の下部は顆粒層、有棘層、基底層からなる。真皮には毛細血管や神経が通っており、コラーゲンやエラスチンなどが含まれている。この構造が皮膚に丈夫さと柔軟さを与えている。
【００８２】
これに対して、口唇部位では、図１６（ｂ）に示すように、最表面の皮脂層がなく、代わりに口唇内部では粘膜層に覆われている。角層は通常部位よりも薄くその分透明性が高く、メラノサイトが少なく産毛なども生えていないため、表皮を通して真皮の血管が透けて見えやすく赤く見える。
【００８３】
さらに、口唇部位では、角層が薄いため、皮膚のバリア機能も低く、水分も放散し易くなっている。そのため、皮膚から放散される生体ガスも放散され易い状態になっており、生体ガス採取には適している。また、口唇部位の皮膚ではエクリン汗腺がなく、毛が生えておらず皮脂腺もないため、エクリン汗腺からの汗成分や皮脂腺から皮脂成分の影響を受け難いという特徴もある。
【００８４】
さらに、通常の皮膚表面には、皮膚のバリア機能に関与する常在菌が生息している。皮膚常在菌は、ヒトの皮脂や汗をエサに生息しており、種類や量は人それぞれに異なるが、約１兆個、数１０種類程度がいると言われている。例えば、グラム陽性球菌であるＳｔａｐｈｙｌｏｃｏｃｃｕｓ  ｅｐｉｄｅｒｍｉｄｉｓ（表皮ブドウ球菌）などであるｃｏａｇｕｌａｓｅ−ｎｅｇａｔｉｖｅ  ｓｔａｐｈｙｌｏｃｏｃｃｉ（コアグラーゼ陰性ブドウ球菌：ＣＮＳ）、グラム陽性桿菌であるＣｏｒｙｎｅｂａｃｔｅｒｉｕｍ  ｓｐｐ．（コリネバクテリウム属）、グラム陰性桿菌であるＡｃｉｎｅｔｏｂａｃｔｅｒ  ｓｐｐ．（アシネトバクター属）などが常在し、それに毛包管内に生息する嫌気性のＰｒｏｐｉｏｎｉｂａｃｔｅｒｉｕｍに加えて真菌のＣａｎｄｉｄａ属やＰｉｔｙｒｏｓｐｏｒｕｍ属なども僅かであるが生息する。通常の皮膚では常在菌から放散されるガスもあるが、口唇部は常在菌も少ないので、その影響も少ない。
【００８５】
皮膚のターンオーバーは個人差があるが、概ね自分の年齢×（１．５〜２．０）位と言われている。１０代で約２０日、２０代で約２８日、３０代で約４５日、４０代で約５５日、５０代で約７５日、６０代で約１００日位が目安となる。
【００８６】
以下に、２０代の場合の皮膚のターンオーバーのプロセスについて例示する。
（１）新陳代謝の出発点は表皮の一番底の部分「基底層」の細胞分裂から始まる。この基底層は、ケラチンやメラニン色素が生成されるケラチノサイトとメラノサイトという細胞から構成されている。このケラチノサイトから分裂した細胞が、すぐ上の有棘層へ上がっていく。
（２）有棘層では、いらない成分を分解し形がだんだん偏平になっていく。
（３）顆粒層では、素肌のうるおいの決め手ともいえる、天然保湿因子ＮＭＦや細胞間脂質を生成している。ここまでのプロセス、（１）〜（３）で、約１４日間を要する。
（４）角層に達した細胞は核やミトコンドリアの無い状態になっている。つまり、これ以上分化しない生命力の無い細胞になってしまい、このような状態になることを「角化」という。角層は水分の貯蔵庫であり、その表面は、皮脂腺から分泌される脂分と汗腺から出た汗とが混じり合って(乳化)できた皮脂膜のバリアのおかげで、みずみずしい状態を保っている。角層細胞は約１４日間（２０代）でアカとなって剥がれ落ちていき、ターンオーバーは終わりを迎える。
【００８７】
３．  運動解析とその評価データ
次に、運動解析とその評価データについて説明する。図１７は、運動をした時の脂肪燃焼のメカニズムを説明するための図である。
【００８８】
図１７に示すように、運動をするとアドレナリンが出て、白色脂肪細胞中のホルモン感受性リパーゼが活性化され、中性脂肪の分解が促進され、脂肪酸とグリセロールになる。脂肪酸のままでは血液中に循環できないため、アルブミンと結合して遊離脂肪酸となって血液中を循環する。その内の一部は、心筋や骨格筋に供給され、β酸化の後アセチル-ＣｏＡになり、ＴＣＡ回路（通称クエン酸回路）を経て最終的には二酸化炭素（ＣＯ２）と水（Ｈ２Ｏ）になる。骨格筋では、解糖系が主体となってグリコーゲン、グルコースが主にエネルギーとして消費され、遊離脂肪酸の消費は少ない。心筋では約７０％が脂肪燃焼で、残りが糖質燃焼と言われている。
【００８９】
他方、遊離脂肪酸の多くはカルニチンと結合しアシルカルニチンとなり肝臓へ供給される。肝臓ではアシルＣｏＡになって、肝臓のミトコンドリアでβ酸化され、アセチルＣｏＡになる（β酸化）。さらにアセチルＣｏＡはアセト酢酸になり、３−ヒドロキシ酪酸とアセトンになる。アセト酢酸、３−ヒドロキシ酪酸、アセトンの３つを総称してケトン体というが、この内アセトンのみが気体となる。アセトンは血液中に循環し、肺でガス交換され呼気として排出され、あるいは口唇部、掌などの皮膚近傍の毛細血管から皮膚ガスとして放出されることになる。運動強度が５０％程度未満では、糖質と脂質の燃焼比が約５０：５０であるが、運動強度が高くなるにつれ、糖質の燃焼比が高くなる。しかし、グルコースや筋グリコーゲン、肝グリコーゲンが不足してくると、脂肪燃焼の比率を高め、既にあるケトン体を利用するようになる。例えば、マラソンのような長距離走では、脂肪燃焼をうまく利用できないと３０ｋｍ〜 ３５ｋｍ位でばてることになる。
【００９０】
また、呼気ガスの場合には、運動開始時にイソプレンが一時的に放散されるが、皮膚ガスの場合にはイソプレンの放散は検出が難しい程度の極微量となる。これは、皮膚の表面にある角層には、図１６で示したように、角層細胞間脂質は、主にセラミド約５０％、コレステロールエステル約１５％、コレステロール５％、脂肪酸２０％から構成されており、スクワレンなども含まれる。イソプレンが皮膚ガス中から放散され難いのはスクワレンなどとの親和性によるものと推定される。
【００９１】
次に、運動や食事を考慮して皮膚から放散されたアセトン量がどれくらい出るのかを算出する。三大栄養素は糖、脂質、タンパク質であり、それぞれ炭素原子、酸素原子、水素原子などの構成割合が異なる。そのため、内呼吸のとき、どの栄養素が分解しているかにより、消費されるＯ２と産生されるＣＯ２の割合が異なる。体細胞全体である栄養素が主に代謝されているとき、その割合は呼吸にも反映されるはずである。それを表現したのが呼吸商ＲＱ（Ｒｅｓｐｉｒａｔｏｒｙ  Ｑｕｏｔｉｅｎｔ）であり、下記の式で表される。
【００９２】
呼吸商ＲＱ＝（単位時間あたりのＣＯ２の排出量）／（単位時間あたりのＯ２の消費量）      式（６）
【００９３】
脂質は、脂肪酸自体の中に酸素原子が非常に少ないため、分解するときは多くの酸素を消費しなければならない。Ｏ２消費量の割にはＣＯ２産生量が少ないため、呼吸商は０．７０と三大栄養素の中では最小である。脂肪は、酸素の含有率が低いので、重量あたりの熱量は９．３ｋｃａｌ／ｇと三大栄養素中最大である。エネルギーを保存する場合に適した栄養素であり、過食により皮下に貯蔵されるのも脂質である。
【００９４】
糖類の代表であるグルコースの原子の割合はＣ６Ｈ１２Ｏ６である。酸素原子が多く含まれているため、酸素消費量は少なくても分解できる。呼吸商は１．００と三大栄養素の中では最大である。逆に、酸素の含有が高いので、重量あたりの熱量は４．１ｋｃａｌ／ｇと三大栄養素中最小である。
【００９５】
タンパク質は、原子の割合は脂質と糖質の中間であり、呼吸商は０．８５、熱量は５．３ｋｃａｌ／ｇである。理論的には、呼吸商ＲＱが１以上にもなり得るが、実際には呼吸商ＲＱが１を超えることは条件が限られる。一方、呼吸商ＲＱが０．７のときは脂肪利用を示し、呼吸商ＲＱが０．７以下の際は飢餓状態でケトン体産生（ケトーシス）であることを示す。ごく最近では、安静時では呼吸商ＲＱがほぼ一定であると考えてよく、個人の呼吸商のばらつきも０．７８〜０．８７の範囲であることが知られている。図１８に運動強度と呼吸商の関係を示す。
【００９６】
図１８には、Ａｓｔｒａｎｄ  ＆  Ｒｏｄａｈｌ，Ｔｅｘｔｂｏｏｋ  ｏｆ  ｐｈｙｓｉｏｌｏｇｙ，ＭｃＧｒａｗ−Ｈｉｌｌ  Ｂｏｏｋ  Ｃｏｍｐａｎｙ，１９８６による運動強度と非蛋白呼吸商の関係を示してある。非蛋白呼吸商が１の時には糖質の燃焼が１００％となり、非蛋白呼吸商が０．７１の時には脂質の燃焼が１００％となる。運動強度は、酸素摂取量または心拍数（脈拍数）から求めることができる。安静時から運動強度５０％程度までの範囲では、糖質と脂質との燃焼割合はだいだい半々であるが、運動強度が高くなるにつれて糖質の燃焼割合が増加し運動強度１００％で糖質の燃焼割合がほぼ１００％になる。
【００９７】
三大栄養素が酸化される時に、生じるエネルギーは次の通りである。
【００９８】
１）糖質が酸化される場合
Ｃ６Ｈ１２Ｏ６＋６Ｏ２→６ＣＯ２＋６Ｈ２Ｏ＋３６ＡＴＰ  （６５７ｋｃａｌ）
［ＲＱ＝６ＣＯ２／６Ｏ２＝１．０］
２）脂肪が酸化される場合
Ｃ５５Ｈ１０２Ｏ６＋７７．５Ｏ２→５５ＣＯ２＋５１Ｈ２＋４２９ＡＴＰ  （７，８３３ｋｃａｌ）
［ＲＱ＝５５ＣＯ２／７７．５Ｏ２＝０．７１］
３）タンパク質が酸化される場合
Ｃ１００Ｈ１５９Ｏ３２Ｓ０．７＋１０５．３Ｏ２→１３ＣＯＮ２Ｈ４（ｕｒｅａ）＋８７ＣＯ２＋５２．８Ｈ２Ｏ＋０．７Ｈ２ＳＯ４＋２７ＡＴＰ  （４，９４８ｋｃａｌ）  
［ＲＱ＝８７ＣＯ２／１０５．３Ｏ２＝０．８３］
【００９９】
計算例として、年齢をＹ（歳）、体重をＷ（ｋｇ）、身長をＨ（ｃｍ）とし、基礎エネルギー消費ＢＥＥ（Ｂａｓａｌ  Ｅｎｅｒｇｙ  Ｅｘｐｅｎｄｉｔｕｒｅ）は、ハリスベネディクト（Ｈａｒｒｉｓ− Ｂｅｎｅｄｉｃｔ）の式から、
男性：ＢＥＥ＝６６．４７３０＋１３．７５１６Ｗ＋５．００３３Ｈ−６．７５５０Ｙ      式（７）
女性：ＢＥＥ＝６５５．０９５５＋９．５６３４Ｗ＋１．８４９６Ｈ−４．６７５６Ｙ      式（８）
となる。
【０１００】
あるいは、国立健康・栄養研究所の式（Ｇａｎｐｕｌｅ  ｅｔ  ａｌ．，  ＥＪＣＮ，  ２００７）によれば、男性を１、女性を２とする係数Ａを用いて、
ＢＥＥ＝（０．０４８１Ｗ+０．０２３４Ｈ−０．０１３８Ｙ− ０．５４７３Ａ＋０．１２３８）×１０００÷４．１８６      式（９）
と表される。
【０１０１】
全エネルギー消費量ＴＥＥ（Ｔｏｔａｌ  Ｅｎｅｒｇｙ  Ｅｘｐｅｄｉｔｕｒｅ）は、図１９に示す身体活動レベルＡＦを用いて、
ＴＥＥ＝ＢＥＥ×ＡＦ      式（１０）
と表すことができる（ここでは、ストレス因子を除いた）。
【０１０２】
以下に、基礎エネルギー消費量ＢＥＥの計算例を示す。男性、年齢Ｙ＝４０（歳）、体重Ｗ＝６５（ｋｇ）、身長Ｈ＝１７２（ｃｍ）の場合の基礎エネルギー消費量ＢＥＥは、
（１）ハリスベネディクトの式からＢＥＥは１，５５１（ｋｃａｌ/日）または６４．６（ｋａｃｌ／時）となる。
（２）国立健康・栄養研究所の式からＢＥＥは１，４７５（ｋａｃｌ/日）または６１．５（ｋｃａｌ／時）となる。
【０１０３】
ここでは、日本人に適している国立健康・栄養研究所の式を採用する。身体活動レベルが普通であれば、図１８のグラフよりエネルギー消費は、糖質と脂質の比はほぼ５０：５０位と推定される。
【０１０４】
午前中に運動を行った時のエネルギー収支を計算するために、前日の夕食から運動当日の朝食（直前の食事）までを考える。図２０に一例として、タイムスケジュールと行動、身体活動レベル、エネルギー消費量を示してある。図２０において、運動前日の夕食から運動直前までの消費カロリーの計は、２７７＋４７４＋３６９＝１，１２０（ｋｃａｌ）となる。
【０１０５】
ここで、自転車エルゴメーター（負荷８０Ｗで１００分間）による運動時エネルギー消費量を計算する。運動時心拍数ＨＲ１２０で、１００分間運動したので、心拍数から運動強度を求める。最大心拍数ＨＲｍａｘは、年齢をＹ（歳）として、
ＨＲｍａｘ＝２２０− Ｙ      式（１１）
と表される。安静時の心拍数をＨＲ０として、運動強度Ｓ（％）は、
Ｓ＝（ＨＲ− ＨＲ０）÷（ＨＲｍａｘ-ＨＲ０）×１００      式（１２）
となる。年齢Ｙ＝４０（歳）、安静時心拍数ＨＲ０＝８０の場合には、
ＨＲｍａｘ＝２２０− ４０＝１８０となり、
Ｓ＝（１２０− ８０）÷（１８０− ８０）×１００＝４０（％）
となる。すると、図１８から運動強度４０（％）の時の、エネルギー消費の比率は５０：５０位と推定される。
【０１０６】
運動によるエネルギー消費量の算出には、独理行政法人  国立健康・栄養研究所  健康増進プログラム  エネルギー代謝プロジェクト「身体活動のメッツ（ＭＥＴｓ）表」から求める。この表から、自転車エルゴメーターで運動した場合には、図２１に示すようになる。図２１をグラフにして、プロットされた曲線の近似式を求めると、
ＭＥＴｓ＝０．０４６６×（負荷Ｗ）＋０．７６１９  （相関係数Ｒ２＝０．９９１４）      式（１３）
となるので、自転車エルゴメーターにはこの式（１３）を利用してもよい。この式から自転車エルゴメーターの負荷（Ｗ）に対するＭＥＴｓは、
ＭＥＴｓ＝０．０４６６×８０（Ｗ）＋０．７６１９≒４．５
が分かるので、次の式からエネルギー消費量を求めることができる。運動時間をｔｅ（ｈ）、体重をＷ（ｋｇ）として、
エネルギー消費量（ｋｃａｌ）
＝１．０５×（ＭＥＴｓ）×ｔｅ×Ｗ
＝１．０５×４．５（ＭＥＴｓ）×１．６７（ｈ）×６５（ｋｇ）＝５１２（ｋｃａｌ）
【０１０７】
この式の（ＭＥＴｓ）は運動に安静時エネルギー消費量を含めてある。運動によるエネルギー消費量のみの場合には、（ＭＥＴｓ）を（ＭＥＴｓ−１）とする。
【０１０８】
また、運動が歩行やジョギングの場合には、川久保 清, 内藤 義彦, 吉武 裕, 李 廷秀, 大場 美穂, 野田 奈津実, 柏崎 浩,「身体活動量評価法の開発に関する研究」体力科学（２００７）５６,２５−２６に、歩行またはジョギングの速度とＭＥＴｓの関係が次の式で表されることが報告されている。
【０１０９】
歩行のＭＥＴｓ＝０．６２×歩速(ｋｍ／時)＋１      式（１４）
ジョギングのＭＥＴｓ＝０．７９×歩速(ｋｍ／時)＋１      式（１５）
【０１１０】
このＭＥＴｓが分かると、消費カロリーを計算することができる。歩行とジョギングの違いは、両足が同時に地面から離れる瞬間を持たないのが歩行である。消費カロリーは、ＭＥＴｓを使って次のように表される。
【０１１１】
消費カロリー（ｋｃａｌ）＝１．０５×Ｍｅｔｓ×運動時間（ｈｏｕｒ）×体重（ｋｇ）      式（１６）
【０１１２】
例えば、体重６５（ｋｇ）の人が、歩速８（ｋｍ／時）で１時間ジョギングをした場合には、消費カロリー＝１．０５×（０．７９×８＋１）×1×６５≒５００（ｋｃａｌ）となる。
【０１１３】
食事については、厚生労働省の「日本人の食事摂取基準」に男女別、年齢別に摂取基準が示されている。また摂取した食事のカロリーについては、文部科学省の「日本食品標準成分表」、または「食品標準成分表（２０１２）最新版（全国調理師養成施設協会、全国調理師養成施設協会、調理栄養教育公社）」、「調理のためのベーシックデータ５訂増補（女子栄養大学出版部）」に多くの食品の栄養成分が示されているので、図２２のように計算することができる。
【０１１４】
基礎代謝に活動代謝を考慮した消費カロリー（Ａ）、自転車エルゴメーターによる運動代謝の消費カロリー（Ｂ）、運動前日の夕食と当日の朝食の摂取カロリー（Ｃ）を、夫々糖質と脂質に分けて計算したものが図２３になる。
【０１１５】
運動後に、飲食などのエネルギー供給がない状態を想定すると、カロリー収支は−５０５（ｋｃａｌ）となる。これらの不足分は、糖質としては筋グリコーゲンや肝グリコーゲンから、脂質としては体内に蓄積されている体脂肪を分解して補うと考えられる。以下では、脂肪（トリアシルグリセロール）は、脂肪酸の種類が複数あるが、ここでは代表的なパルミチン酸として計算を進める。
【０１１６】
体脂肪１ｇは９ｋｃａｌに相当するので、４０９÷９＝４５．４ｇの脂肪に相当する。肝臓で、パルミチン酸は、Ｃ１６Ｈ３２Ｏ２＋７Ｏ２→４アセト酢酸＋４Ｈ２Ｏ＋３３ＡＴＰに変わる。４つのアセトン酢酸から仮に２アセトンが生成すると仮定すれば、脂肪はグリセロール＋３パルミチン酸の構成だから、グリセロールＣ３Ｈ５Ｏ３（１７７）とパルミチン酸Ｃ１６Ｈ３１Ｏ２（４８２）＋７Ｏ２の１ｍｏｌは、１７７＋４８２×３＝１９７７ｇとなる。運動で４５．４ｇの脂肪が減少すれば、４５．４／１９７７＝０．０２３（ｍｏｌ）、パルミチン酸は３倍で２つのアセトンに相当するから０．０２３×６＝０．１３８（ｍｏｌ）のアセトンが生成する。１（ｍｏｌ）の気体は０℃、1気圧で２２．４（Ｌ）だから室温２３℃では０．１３８×２２．４×（２７３＋２３）／２７３＝３．３５（Ｌ）のアセトンが総量として発生する。
【０１１７】
人の単位時間当たりの呼吸量（＝呼吸率）については、放射線医学総合研究所ラドン濃度測定・線量評価委員会（１９８８）で、行動別の日本人男女平均呼吸率が示されており、Ｓｎｙｄｅｒ，Ｗ．Ｓ．ｅｔ  ａｌ．（１９７５）に示されている行動別呼吸率に０．９乗じた値となっている。図２４にその値を示してある。
【０１１８】
図２４から呼吸率を算出する。自転車エルゴメーターによる運動（１００分）を「ＶＩ：速やかな歩行」とし、運動後（３４０分）は「ＩＩＩ：立姿勢での活動」として求めた。
【０１１９】
（運動１．９３ｍ３／ｈ×１．６７ｈ）＋（運動後０．９１ｍ３／ｈ×５．６７ｈ）＝３．２２＋５．１６＝８．３８（ｍ３）
運動平均アセトン濃度上昇＝３．３５（Ｌ）÷(８．３８×１０６Ｌ)
＝０．４（ｐｐｍ）
と概略の呼気の平均アセトン濃度上昇を算出することができる。以上は、呼気ガスの計算例であるが、皮膚ガスの場合には更にアセトン濃度が低下する。皮膚ガス中（掌の場合）のアセトンと呼気ガス中のアセトンの割合は、約１：２０であった。
【０１２０】
図２５に、人の部位におけるエクリン腺と皮脂腺の「多い・少ない・無い」の関係を示す。エクリン腺が多い所は掌、足の裏、額であり、少ない所はまぶたであり、無い所は口唇である。皮脂腺が多い所はＴゾーン（額から鼻先の部分）、頭、口の周りであり、少ない所はまぶたであり、無い所は口唇、掌、足の裏である。
【０１２１】
図２６に、人の肌（頬）と口唇との比較を示す。口唇は頬に比べて、角層は薄く、角層のターンオーバーは速く（頬の約半分の日数）、皮膚からの水分蒸発速度は速く、水分量はやや少ない。そのため、冬場になると口唇が粉を吹いたり、硬くなって皮が剥げたりする「唇荒れ」が生じることがある。唇の荒れは、気候の変動、日照時間、疲れ、食生活の変化などちょっとしたきっかけによって発生していることが報告されている。
【０１２２】
４．  運動によるアセトン濃度の変化（モデル例）
図２７および図２８は、運動による呼気アセトン濃度を測定した場合のモデル例を示す。運動は自転車エルゴメーター、脈拍１２０で１００分間行い、その後３４０分間経過を測定した。呼気アセトン濃度の測定は、半導体式ガスクロセンサーを用いて、１０分毎に測定した。呼気ガスの採取は、サンプル袋に呼気をゆっくり息が切れるまで吹き入れ（できるだけ死腔ガスの影響を少なく）、そのサンプル袋からシリンジで一部分を取り、半導体式ガスクロセンサーの試料部へ供給した。被験者は日頃運動習慣のない男性である。
【０１２３】
図２７の場合には、食事から３時間経過してから運動を開始し、運動中にアセトン濃度が運動前に比較してゆっくり上昇し、６０分を過ぎたころからアセトン濃度の上昇が少し多くなり、運動終了後１００分からはさらにアセトン濃度の上昇があり、その後１６０分までほぼ安定したアセトン濃度となり、４４０分ころには安静時のレベルに落ち着いた。
【０１２４】
図２８には、同じ被験者で炭水化物の比較的多い食事の後３０分から運動を開始した例や、別な被験者について測定した結果から、代表的なモデルケースを３つ例示した。
【０１２５】
ａ：初期値が高く、運動後も上昇
ｂ：初期値は低く、運動後は上昇
ｃ：初期値は低く、運動後の上昇も小さい
【０１２６】
ａの場合は日頃から運動を行っている例で、脂肪を燃焼し易い体質になっていると推定され、アセトン濃度の初期値は比較的高く、運動後のアセトン濃度上昇も大きい。ｂの場合は日頃あまり運動する習慣はなくアセトン濃度の初期値は比較的低いが、運動後のアセトン濃度は上昇した。ｃの場合は、ｂと同じ被験者で食事の後３０分程度で血糖値が高く脂肪燃焼が亢進しない状況で運動を開始し、運動中も運動後もアセトン濃度の上昇は小さかった。運動の強度がゆっくりした歩行程度の場合にも、ｃのようなパターンになる。
【０１２７】
５．  皮膚ガス検出に基づく推奨運動条件の提示
図２９（ａ）は、個人毎の適正な運動条件を決めるために、予め用意してある推奨運動条件の例である。図２９には、トレッドミルでジョギングを行う時の比較的運動時間の短い３０分の場合の例を示してある。始めは１分刻みで走行速度を段階的に増していき、ステップ１、ステップ２、ステップ３、ステップ４の例えば４段階を用意しておく。夫々のステップを順番に走行して、皮膚ガス中のアセトン濃度を測定する。例えば、ステップ１とステップ２との時には、運動中も運動後もアセトン濃度の上昇が小さく、ステップ３になって運動中および運動後のアセトン濃度上昇が大きくなった場合には、この人にとっての脂肪燃焼を目的としたトレッドミルの運動条件としては、ステップ３を推奨運動条件として、記憶する。この推奨運動条件は、性別、年齢、運動習慣によって異なっている。一般的には、性別については男性の方が女性より運動強度が少し高くなり、成人では年齢が増すにつれて運動強度は低くなり、運動習慣のある人は運動強度が高くなる傾向にある。
【０１２８】
図２９（ｂ）には、トレッドミルでジョギングを行う時の比較的運動時間の長い６０分の場合の例を示してある。始めは３分刻みで走行速度を段階的に増していき、ステップ１、ステップ２、ステップ３の例えば３段階を用意しておく。図２９（ａ）の場合と同様に順番に運動を行って、アセトン濃度の上昇の程度から、その人の推奨運動条件を求める。
【０１２９】
図３０には、本発明の実施例のフローチャートの例を示している。ステップＳ１１００〜Ｓ１３００では個人データが登録される。続いてテスト運動を実施する場合は（ステップＳ１４００がＹＥＳ）、運動前の食事のカロリーが入力され（ステップＳ１５００）、初期化が実施された後に（ステップＳ１６００，Ｓ１７００）、運動の推奨条件が読み出されて表示される。ここで、年齢、体重、身長。運動前の食事カロリーに基づいて、例えば図２９（ａ）（ｂ）の推奨運動条件や、あるいは図３１に示す目標心拍数ＨＲの中から選択して、図１の出力部４０に表示（出力）した後、運動条件を設定する（ステップＳ２１００）。図３１の例では、最大心拍数（拍／分）ＨＲｍａｘ＝２２０− 年齢（ＡＧＥ）、安静時心拍数（拍／分）ＨＲｒｅｓｔとし、運動強度Ｓ（％）＝（ＨＲａ− ＨＲｒｅｓｔ）／（ＨＲｍａｘ− ＨＲｒｅｓｔ）×１００で求められる。目標心拍数ＨＲｔａｒｇｅｔ＝（ＨＲｍａｘ− ＨＲｒｅｓｔ）ｘＳ＋ＨＲｒｅｓｔから求められる。
【０１３０】
次に、引き続いてテスト運動を開始する場合には（ステップＳ２２００がＹＥＳ）、テスト運動中にて皮膚ガスが測定され、記録される（ステップＳ２３００，Ｓ２４００）。テスト運動が終了アすると（ステップＳ２５００がＹＥＳ）、脂肪燃焼最適条件が判定されて登録される（ステップＳ２６００，Ｓ２７００）。
【０１３１】
テスト運動がすべて終了したら（ステップＳ２８００がＹＥＳ）、脂肪燃焼最適条件が図１の出力部４０に表示（出力）される（ステップＳ３０００）。ここでは図２８のアセトン濃度のグラフを例にとると、例えばｂパターンは、アセトン濃度が高まっており良い条件と判定し、ｃパターンはその人の運動能力や運動習慣から不十分と判定する。よって、脂肪燃焼最適条件としてパターンｂを表示する。
【０１３２】
その後運動が開始されれば（ステップＳ３１００がＹＥＳ）、測定データが記録され（
ステップＳ３２００）、全てが終了することで（ステップＳ３３００がＹＥＳ）で動作停
止となる。
【０１３３】
上述した実施形態および変形例は一例であって、これらに限定されるわけではない。例えば、各実施形態および各変形例を適宜組み合わせることも可能である。
【０１３４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１３５】
１…皮膚、２…口唇、２ａ…上唇、２ｂ…下唇、３…口内、４…空洞部、６…空間、１０…試料採取部、１２…筒状部、１２ａ…一端、１２ｂ…他端、１３…貫通孔、１４…カバー部、１４ａ…一端、１４ｂ…他端、１５…空気弁、１６…流路、２０…検出部、３０…演算部、３２…記憶部、４０…出力部、１００…生体ガス検出装置、１０１…カバー部、１０２…吸引流路、１０２ａ…吸引口、１０２ｂ…除塵フィルター、１０３…排出流路、１０３ａ…吸引手段、１０４…光源、１０５…レンズ、１０６…ハーフミラー、１０７…フィルター、１０８…分光器、１０９…受光素子、１１０…ヒンジ部、１２０…ＳＥＲＳセンサー、１２１…支持基板、１２２…金属層、１２３…誘電体層、１２４…基板、１２５…構造体、１２６…金属ナノ粒子、１２７…金属ナノ構造体、１３０…信号処理部、１４０…電力供給部、１５０…接続部、１６０…筐体、２２０…半導体センサー、２２１…基板、２２１ａ…表面、２２２ａ，２２２ｂ，２２２ｃ，２２２ｄ…感ガス材料板、２２３ａ，２２３ｂ…電極、２２４…ヒーター、２２５ａ，２２５ｂ…電極、３２０…ＱＣＭセンサー、３２１…水晶振動子、３２２ａ，３２２ｂ…電極、３２３ａ，３２３ｂ…リード線、３２４…基板
【図１】
2015130995.tif 000003
【図２】
2015130995.tif 000004
【図３】
2015130995.tif 000005
【図４】
2015130995.tif 000006
【図５】
2015130995.tif 000007
【図７】
2015130995.tif 000008
【図８】
2015130995.tif 000009
【図９】
2015130995.tif 000010
【図１０】
2015130995.tif 000011
【図１１】
2015130995.tif 000012
【図１２】
2015130995.tif 000013
【図１３】
2015130995.tif 000014
【図１４】
2015130995.tif 000015
【図１５】
2015130995.tif 000016
【図１６】
2015130995.tif 000017
【図１７】
2015130995.tif 000018
【図１８】
2015130995.tif 000019
【図１９】
2015130995.tif 000020
【図２０】
2015130995.tif 000021
【図２１】
2015130995.tif 000022
【図２２】
2015130995.tif 000023
【図２３】
2015130995.tif 000024
【図２４】
2015130995.tif 000025
【図２５】
2015130995.tif 000026
【図２６】
2015130995.tif 000027
【図２７】
2015130995.tif 000028
【図２８】
2015130995.tif 000029
【図２９】
2015130995.tif 000030
【図３０】
2015130995.tif 000031
【図３１】
2015130995.tif 000032
【図６】
2015130995.tif 000033